(57)【要約】  ハンドヘルド部材と、ドッキングデバイスとを含む電池パック放電デバイスを提供する。ハンドヘルド部材は、ハンドル部と、第１及び第２の延長部材と、第１及び第２の導電性部材と、レジスタとを含む。レジスタは、第１及び第２の伝導部の間のハンドル部に配置されている。デバイスは、ハウジングと、第１及び第２の接触部材とを含むドッキングデバイスをさらに含む。第１及び第２の延長部材は、第１及び第２の導電性部材が第１及び第２の接触部材とそれぞれ接触するようにドッキングデバイスの第１及び第２の開口部にそれぞれ配置されている。
2016524442.tif 000002
【特許請求の範囲】
【請求項１】
電池パックを放電するための電池パック放電デバイスであって、
ハンドヘルド部材と、
ドッキングステーションと
を含み、
前記ハンドヘルド部材は、
第１及び第２の導電性部材と、
前記第１及び第２の導電性部材の間に電気的に連結されたレジスタと
を含み、
前記ドッキングステーションは、
ハウジングと、
前記ハウジングに配置されている第１及び第２の接触部材と
を含み、
前記ハウジングは、前記ハウジングを貫通する第１及び第２の開口部を含み、
前記ハンドヘルド部材は、前記第１及び第２の導電性部材が前記第１及び第２の接触部材とそれぞれ接触するように、前記ハウジングの前記第１及び第２の開口部にそれぞれ少なくとも部分的に配置されるように構成されていることを特徴とする電池パック放電デバイス。
【請求項２】
前記電池パックは、前記第１及び第２の導電性部材が前記第１及び第２の接触部材とそれぞれ接触したとき、少なくとも部分的に前記電池パックを放電するために、前記第１の接触部材、前記第１の導電性部材、前記レジスタ、前記第２の導電性部材、及び前記第２の接触部材を介して電流を放出するように構成されていることを特徴とする、請求項１に記載の電池パック放電デバイス。
【請求項３】
前記ハンドヘルド部材は、
ハンドル部と、
前記ハンドル部から第１の方向に延長されている第１及び第２の延長部材と
をさらに含み、
前記レジスタは、前記ハンドル部に配置されていることを特徴とする、請求項１に記載の電池パック放電デバイス。
【請求項４】
前記第１の導電性部材は、共に連結されている第１及び第２の伝導部を含み、
前記第１の伝導部は、前記レジスタに電気的に連結されており、前記ハンドル部内で前記レジスタから延長されており、
前記第２の伝導部は、前記第１の延長部材に配置されていることを特徴とする、請求項３に記載の電池パック放電デバイス。
【請求項５】
前記第２の導電性部材は、共に連結されている第３及び第４の伝導部を含み、
前記第３の伝導部は、前記レジスタに電気的に連結されており、前記ハンドル部内で前記レジスタから延長されており、
前記第４の伝導部は、前記第２の延長部材に配置されていることを特徴とする、請求項４に記載の電池パック放電デバイス。
【請求項６】
前記第１及び第２の接触部材は、前記第１及び第２の開口部のそれぞれに隣接している前記ハウジングに配置されており、
前記第１及び第２の接触部材は、前記電池パックに電気的に連結されるように構成されており、
前記ハンドヘルド部材の前記第１及び第２の延長部材は、前記第２及び第４の伝導部が前記第１及び第２の接触部材とそれぞれ接触するように前記ドッキングステーションの前記ハウジングの前記第１及び第２の開口部にそれぞれ配置されるように構成されていることを特徴とする、請求項５に記載の電池パック放電デバイス。
【請求項７】
前記ハンドル部から前記第１の方向に延長された第１及び第２のガイドタブをさらに含み、
前記第１及び第２のガイドタブは、前記第１の延長部材の第１及び第２の側部にそれぞれ隣接して配置されていることを特徴とする、請求項３に記載の電池パック放電デバイス。
【請求項８】
前記ハンドル部から前記第１の方向に延長された第３及び第４のガイドタブをさらに含み、
前記第３及び第４のガイドタブは、前記第２の延長部材の第１及び第２の側部にそれぞれ隣接して配置されていることを特徴とする、請求項７に記載の電池パック放電デバイス。
【請求項９】
前記ハンドヘルド部材は、電気的に非導電性の素材からなることを特徴とする、請求項１に記載の電池パック放電デバイス。
【請求項１０】
前記ハンドヘルド部材は、開口部を介した空気の流れが前記レジスタを冷却するように、少なくとも一つの開口部が前記ハンドヘルド部材を貫通して延長されていることを特徴とする、請求項１に記載の電池パック放電デバイス。
【請求項１１】
電池パックを放電するための電池パック放電方法であって、
ハンドヘルド部材と、ドッキングステーションとを含む電池パック放電デバイスを提供する過程と、
第１及び第２の導電性部材が第１及び第２の接触部材とそれぞれ接触するようにハウジングの第１及び第２の開口部のそれぞれに前記ハンドヘルド部材の少なくとも一部を配置する過程と
を含み、
前記ハンドヘルド部材は、前記第１及び第２の導電性部材と、前記第１及び第２の導電性部材の間に電気的に連結されたレジスタとを含み、
前記ドッキングステーションは、ハウジングと、前記ハウジングに配置された前記第１及び第２の接触部材とを含み、
前記ハウジングは、前記ハウジングを貫通して延長された前記第１及び第２の開口部を含むことを特徴とする電池パック放電方法。
【請求項１２】
前記第１及び第２の導電性部材が前記第１及び第２の接触部材と接触したとき、少なくとも部分的に前記電池パックを放電するために、前記第１の接触部材、前記第１の導電性部材、前記レジスタ、前記第２の導電性部材、及び前記第２の接触部材を介して前記電池パックから電流を放出する過程をさらに含むことを特徴とする、請求項１１に記載の電池パック放電方法。
【発明の詳細な説明】
【技術分野】
【０００１】
本発明は、電池パック放電デバイス及び電池パック放電方法に関する。
【背景技術】
【０００２】
緊急対応要員は、電気自動車及びハイブリッド電気自動車（以下、電気自動車と称する）の運転手を助ける役割をする人達である。
【発明の概要】
【発明が解決しようとする課題】
【０００３】
本発明の発明者は、緊急対応要員によって電気自動車の電池パックを安全に放電するときに使用できる電池パック放電デバイスの必要性を認識した。
【課題を解決するための手段】
【０００４】
本発明の一つの例示的な実施態様においては、電池パックを放電するための電池パック放電デバイス（ｂａｔｔｅｒｙ  ｐａｃｋ  ｄｉｓｃｈａｒｇｉｎｇ  ｄｅｖｉｃｅ）を提供する。前記電池パック放電デバイスは、第１及び第２の導電性部材と、前記第１及び第２の導電性部材の間に電気的に連結されたレジスタとを含むハンドヘルド部材（ｈａｎｄ−ｈｅｌｄ  ｍｅｍｂｅｒ）を含む。前記電池パック放電デバイスは、ハウジングと、前記ハウジングに配置されている第１及び第２の接触部材とを含むドッキングステーション（ｄｏｃｋｉｎｇ  ｓｔａｔｉｏｎ）をさらに含む。前記ハウジングは、ハウジングを貫通する第１及び第２の開口部を含む。前記ハンドヘルド部材は、第１及び第２の導電性部材が第１及び第２の接触部材とそれぞれ接触するように、ハウジングの第１及び第２の開口部にそれぞれ少なくとも部分的に配置されるように構成されている。
【０００５】
本発明の更に別の例示的な実施態様においては、電池パック放電方法を提供する。前記方法は、ハンドヘルド部材と、ドッキングデバイスとを含む電池パック放電デバイスを提供することを含む。前記ハンドヘルド部材は、第１及び第２の導電性部材と、これら第１及び第２の導電性部材の間に電気的に連結されたレジスタとを含む。前記ドッキングステーションは、ハウジングと、前記ハウジングに配置された第１及び第２の接触部材とを含む。前記ハウジングは、ハウジングを貫通して延長された第１及び第２の開口部を含む。前記方法は、第１及び第２の導電性部材が第１及び第２の接触部材とそれぞれ接触するように、ハウジングの第１及び第２の開口部のそれぞれにハンドヘルド部材の少なくとも一部を配置する過程をさらに含む。
【図面の簡単な説明】
【０００６】
【図１】本発明の一つの例示的な実施形態に係る電池パック及び電池パック放電デバイスを含む電気自動車の模式図である。
【図２】ドッキングデバイス及びハンドヘルド部材を含む図１の電池パック放電デバイスの模式図である。
【図３】透視的に図示されたハンドヘルド部材の一部を含む図１の電池パック放電デバイスの更に別の模式図である。
【図４】図２のハンドヘルド部材の模式図である。
【図５】図２のハンドヘルド部材の更に別の模式図である。
【図６】透視的に図示された図２のハンドヘルド部材の更に別の模式図である。
【図７】図２のドッキングデバイスのハウジングの模式図である。
【図８】図１の電池パック放電デバイスのドッキングデバイスのベースプレートに配置された各接触部材に動作可能に連結されたハンドヘルド部材の模式図である。
【図９】図８のベースプレートの模式図である。
【図１０】更に別の例示的な実施形態に係る電池パックを放電するための方法を示すフローチャートである。
【発明を実施するための形態】
【０００７】
図１を参照すると、電気自動車１０が図示されている。電気自動車１０は、電池パック２０、本発明の実施形態に係る電池パック放電デバイス３０、及び電気ケーブル４０，４２を含む。
【０００８】
電池パック２０は、電気自動車１０に対して電気エネルギーを貯蔵及び放出するために提供される。電池パック２０は、ハウジング５０、一つ以上の電池モジュール５２、正極電圧端子５７、及び負極電圧端子５８を含む。一つの例示的な実施形態において、電池パック２０は、負極主接触器（ｎｅｇａｔｉｖｅ  ｍａｉｎ  ｃｏｎｔａｃｔｏｒ）５４、正極主接触器（ｐｏｓｉｔｉｖｅ  ｍａｉｎ  ｃｏｎｔａｃｔｏｒ）５５、及び主ヒューズ５６をさらに含む。電池モジュール５２は、ハウジング５０内に配置されている。電池モジュール５２の正極端子は、正極接触器５５が閉鎖された作動位置を有しており、ヒューズ５６が設置されて機能をするとき、電池パック２０の正極電圧端子５７に電気的に連結される。電池モジュール５２の負極端子は、負極接触器５４が閉鎖された作動位置を有しているとき、電池パック２０の負極電圧端子５８と電気的に連結される。一つの例示的な実施形態において、それぞれの電池モジュール５２はリチウム電池モジュール（ｌｉｔｈｉｕｍ−ｉｏｎ  ｂａｔｔｅｒｙ  ｍｏｄｕｌｅ）である。当然ながら、更に別の実施形態において、それぞれの電池モジュール５２は、当業者に既知の更に他の種類の電池モジュールまたはウルトラキャパシタ（ｕｌｔｒａ―ｃａｐａｃｉｔｏｒ）であり得る。正極電圧端子５７は、電気ケーブル４０を用いる車両電気システム（ｖｅｈｉｃｌｅ  ｅｌｅｃｔｒｉｃａｌ  ｓｙｓｔｅｍ）４７に電気的に連結されており、負極電圧端子５８は、電気ケーブル４２を用いる車両電気システム４７に電気的に連結されている。
【０００９】
電池パック放電デバイス３０の利点は、接触器５４，５５及びヒューズ５６の状態とは関係なく、運転手が一つのハンドヘルド部材６０を用いて電池パック２０を電気的に放電できるようにすることにある。
【００１０】
図１及び図２を参照すると、電池パック放電デバイス３０は、電池パック２０を選択的に放電できるように提供される。電池パック放電デバイス３０は、ハンドヘルド部材６０及びドッキングデバイス７０を含む。デバイス３０は、電池モジュール５２の正極及び負極に電気的に連結されており、ハンドヘルド部材６０がドッキングデバイス７０と動作可能に連結されているとき、電池パック２０を電気的に放電する。
【００１１】
図２〜図６を参照すると、ハンドヘルド部材６０は、ドッキングデバイス７０と動作可能に連結されるように構成されている。一つの例示的な実施形態において、ハンドヘルド部材６０は、例えば、プラスチックなどの電気的に非導電性の素材からなっている。当然ながら、更に別の実施形態において、ハンドヘルド部材６０は、当業者に既知の他の非導電性の素材からなってもよい。ハンドヘルド部材６０は、本体（ｃｅｎｔｒａｌ  ｂｏｄｙ）８１の反対側終端に配置された各端部８２，８３、及び本体８１を含むハンドル部８０を含む。本体８１は、本体８１内にレジスタ１０８を冷却するために、空気の流れ（ａｉｒ  ｆｌｏｗ）がなされるように本体８１に貫通して延長されている各開口部８４，８５，８６を含む。
【００１２】
図６を参照すると、ハンドヘルド部材６０は、延長部材９０、各ガイドタブ１０２，１０４、各導電性部材１０６，１０７、及びレジスタ１０８をさらに含む。
【００１３】
図４〜図６を参照すると、延長部材９０は、ハンドル部８０の端部８２から第１の方向に延長されている。延長部材９０は、各側部１１０，１１２，１１４，１１６を含む。側部１１０と側部１１２とは互いに反対側に配置されている。同様に、側部１１４と側部１１６とは互いに反対側に配置されている。各ガイドタブ９２，９４は、ハンドル部８０の端部８２から第１の方向に延長されている。各ガイドタブ９２，９４は、延長部材９０の各側部１１４，１１６にそれぞれ隣接して配置されている。
【００１４】
延長部材１００は、ハンドル部８０の端部８３から第１の方向に延長されている。延長部材１００は、各側部１３０，１３２，１３４，１３６を含む。側部１３０と側部１３２とは互いに反対側に配置されている。同様に、側部１３４と側部１３６とは互いに反対側に配置されている。各ガイドタブ１０２，１０４は、ハンドル部８０の端部８３から第１の方向に延長されている。各ガイドタブ１０２，１０４は、延長部材１００の各側部１３４，１３６にそれぞれ隣接して配置されている。
【００１５】
図６を参照すると、導電性部材１０６は、共に連結された各伝導部１４０，１４２を含む。一つの例示的な実施形態において、各伝導部１４０，１４２は互いに一体型となっている。伝導部１４０は、レジスタ１０８の第１の端に電気的に連結されており、ハンドル部８０内でレジスタ１０８から延長されている。伝導部１４２は延長部材９０に配置されている。
【００１６】
導電性部材１０７は、互いに連結された各伝導部１５０，１５２を含む。一つの例示的な実施形態において、各伝導部１５０，１５２は一体型となっている。伝導部１５０は、レジスタ１０８の第２の端に電気的に連結され、ハンドル部８０内でレジスタ１０８から延長されている。伝導部１５２は延長部材１００に配置されている。
【００１７】
レジスタ１０８は、ハンドル部８０に配置されている。一つの例示的な実施形態において、レジスタ１０８の抵抗値（ｒｅｓｉｓｔａｎｃｅ  ｖａｌｕｅ）は、電池パック２０から電池パック放電デバイス３０によって受ける電池パック２０の最大出力電圧（ｍａｘｉｍｕｍ  ｏｕｔｐｕｔ  ｖｏｌｔａｇｅ）及び最大希望電流（ｍａｘｉｍｕｍ  ｄｅｓｉｒｅｄ  ｅｌｅｃｔｒｉｃａｌ  ｃｕｒｒｅｎｔ）を基準にして決定される。レジスタ１０８は、ハンドヘルド部材６０が動作可能にドッキングデバイス７０に連結されているとき、電池パック２０から電気エネルギーを放出するように構成されている。レジスタ１０８は、各ピン１７０，１７２をそれぞれ貫通して収納するためにレジスタ１０８を貫通して延長された各開口部１６０，１６２を含む。各ピン１７０，１７２は、レジスタ１０８を各導電性部材１０６，１０７にそれぞれ連結するために使用される。更に別の例示的な実施形態において、レジスタ１０８は、共に連結された多数の抵抗素子（ｒｅｓｉｓｔｉｖｅ  ｅｌｅｍｅｎｔｓ）を含むことができる。
【００１８】
図２、図３、及び図７〜図９を参照すると、ドッキングデバイス７０は、ドッキングデバイス内にハンドヘルド部材６０を動作可能に収納できるように構成されている。ドッキングデバイス７０は、ハウジング部２５０及びベースプレート２５２を有しているハウジング２４０を含む。一つの例示的な実施形態において、ハウジング部２５０及びベースプレート２５２は、例えば、プラスチックなどの電気的に非導電性の素材からなっている。当然ながら、別の実施形態において、ハウジング部２５０及びベースプレート２５２は、当業者に既知の電気的に非導電性の素材からなってもよい。
【００１９】
ハウジング部２５０は、ベースプレート２５２上に配置され、ベースプレート２５２に結合されるように構成されている。ハウジング部２５０は、ハウジング部２５０を貫通して延長された各開口部２９０，２９２（図７に図示する）を含む。ハンドヘルド部材６０がドッキングデバイス７０に付着するとき、延長部材９０及び各ガイドタブ９２，９４は、開口部２９０を介して配置されるように構成されている。また、ハンドヘルド部材６０がドッキングデバイス７０に付着するとき、延長部材１００及び各ガイドタブ１０２，１０４は、開口部２９２を介して配置されるように構成されている。
【００２０】
ベースプレート２５２は、ベースプレート２５２上にハウジング部２５０を支持するように構成されている。ベースプレートは、プレート３００及び各マウンティングブラケット（ｍｏｕｎｔｉｎｇ  ｂｒａｃｋｅｔｓ）３１０，３１２を含む。マウンティングブラケット３１０，３１２は、プレート３００の上部（ｔｏｐ  ｓｉｄｅ）に配置されて連結されている。マウンティングブラケット３１０は、マウンティングブラケット３１０上に接触部材２６０及び電極端子２７０を支持するように構成されている。マウンティングブラケット３１２は、マウンティングブラケット３１２上に接触部材２６２及び電極端子２７２を支持するように構成されている。
【００２１】
図４、図７、及び図８を参照すると、接触部材２６０は、共に連結されたベース部（ｂａｓｅ  ｐｏｒｔｉｏｎ）３２０及び接触部３２２を含む。接触部材２６０は、ハウジング部２５０を介して延長された開口部２９０に隣接したハウジング２４０に配置されている。また、ベース部３２０は、ベースプレート２５２のマウンティングブラケット３１０に連結されている。接触部３２２は、ベース部３２０から開口部２９０に向かって上側に延長されている。接触部材２６０は、作動可能であり、電気的に電極端子２７０に連結されている。接触部３２２は、延長部材９０がドッキングデバイス７０の開口部２９０を介して配置されているとき、ハンドヘルド部材６０の伝導部１４２に接触するように構成されている。
【００２２】
接触部材２６２は、共に連結されたベース部３３０及び接触部３３２を含む。接触部材２６２は、ハウジング部２５０を介して延長された開口部２９２に隣接したハウジング２４０に配置されている。また、ベース部３３０は、ベースプレート２５２のマウンティングブラケット３１２に連結されている。接触部３３２は、ベース部３３０から開口部２９２に向かって上側に延長されている。接触部材２６２は、作動可能であり、電極端子２７２に電気的に連結されている。接触部３３２は、延長部材１００がドッキングデバイス７０の開口部２９２を介して配置されているとき、ハンドヘルド部材６０の伝導部１５２に接触するように構成されている。
【００２３】
図８を参照すると、各電極端子２７０，２７２は、ベースプレート２５２のマウンティングブラケット３１０，３１２に連結されている。電極端子２７０は、接触部材２６０のベース部３２０に開口部を介して延長され、接触部材２６０に電気的に連結されている。電極端子２７０は、電極端子２７０をケーブル４０に連結するために電極端子２７０にナット（ｎｕｔ）（図示せず）をねじ式（ｔｈｒｅａｄａｂｌｙ）で収納する（図１に図示する）。電極端子２７２は、接触部材２６２のベース部３３０に開口部を介して延長され、接触部材２６２に電気的に連結されている。電極端子２７２は、電極端子２７２をケーブル４２に連結するために電極端子２７２にナット（図示せず）をねじ式で収納する
【００２４】
図１、図２、図６、図８、及び図１０を参照する、更に別の例示的な実施形態によって電池パック放電デバイス３０を用いて電池パック２０を放電する方法は、ここで省略することにする。
【００２５】
過程４００において、運転手は、ドッキングデバイス７０を電池パック２０に組み立てる。ドッキングデバイス７０は、ハウジング２４０及び各接触部材２６０，２６２を含む。ハウジング２４０は、ハウジングを貫通して延長された各開口部２９０，２９２を含む。各接触部材２６０，２６２は、各開口部２９０，２９２のそれぞれに隣接したハウジング２４０に配置される。
【００２６】
過程４０２において、運転手は、ハンドル部８０、各延長部材９０，１００、各導電性部材１０６，１０７、及びレジスタ１０８を含むハンドヘルド部材６０に接近する。各延長部材９０，１００は、ハンドル部８０から第１の方向に延長される。レジスタ１０８は、ハンドル部８０に配置される。導電性部材１０６は、共に連結された各伝導部１４０，１４２を含む。伝導部１４０は、電気的にレジスタ１０８と連結され、ハンドル部内にレジスタ１０８から延長される。伝導部１４２は、延長部材９０に配置されている。導電性部材１０７は、共に連結された各伝導部１５０，１５２を含む。伝導部１５０は、電気的にレジスタ１０８に連結され、ハンドル部８０内のレジスタ１０８から延長される。伝導部１５２は、延長部材１００に配置される。各接触部材２６０，２６２は、電池パック２０に電気的に連結されるようにさらに構成されている。
【００２７】
過程４０４において、運転手は、各伝導部１４２，１５２が各接触部材２６０，２６２とそれぞれ接触するように、ハンドヘルド部材６０をつかんだ状態でハンドヘルド部材６０の各延長部材９０，１００をドッキングデバイス７０のハウジング２４０の各開口部２９０，２９２にそれぞれ配置する。
【００２８】
過程４０６において、電池パック２０は、少なくとも部分的に電池パック２０を放電するために接触部材２６０、導電性部材１０６、レジスタ１０８、導電性部材１０７、及び接触部材２６２を介して電流を放出する。
【００２９】
前記電池パック放電デバイス及び電池パック放電方法は、他のデバイス及び各方法に適用した場合にも実質的な利点を提供する。特に、電池パック放電デバイス及び電池パック放電方法は、電池パック内の各内部接触器（ｉｎｔｅｒｎａｌ  ｃｏｎｔａｃｔｏｒｓ）及び／またはヒューズの動作状態とは関係なく、運転手が電池パックを放電するためにドッキングデバイスにハンドヘルド部材を接続できるようにするという技術的利点を提供する。
【００３０】
本発明は、制限された数の例示のみに関連して具体的に記述されたが、本発明が前記の表現された例示のみに限定されるものでないことを認識しなければならない。より正確には、本発明は、変形、変更、交替、または明細書中で表現されたものだけでなく、本発明の意図及び範囲に適するように相応する組み合わせでいくらでも符合するように修正することができる。さらに、本発明の多様な例示が表現されたが、本発明の様相は、表現された例示の一部のみを含み得ることを認識しなければならない。したがって、本発明は、前記表現によって限定されるものではない。
【産業上の利用可能性】
【００３１】
以上説明したように、本発明の電池パック放電デバイス及び電池パック放電方法は、他のデバイス及び方法に適用された場合にも実質的な利点を提供する。特に、電池パック放電デバイス及び電池パック放電方法は、電池パック内の各内部接触器及び／またはヒューズの動作状態とは関係なく、運転手が電池パックを放電するためにドッキングデバイスにハンドヘルド部材を接続できるという技術的利点を提供する。
【符号の説明】
【００３２】
１０  電気自動車
２０  電池パック
３０  電池パック放電デバイス
４０，４２  電気ケーブル
４７  車両電気システム
５０  ハウジング
５２  電池モジュール
５４  負極主接触器
５５  正極主接触器
５６  主ヒューズ
５７  正極電圧端子
５８  負極電圧端子
６０  ハンドヘルド部材
７０  ドッキングデバイス
８０  ハンドル部
８１  ハンドル部の本体
８２，８３  ハンドル部の端部
８４，８５，８６  ハンドル部の本体の開口部
９０，１００  延長部材
９２，９４，１０２，１０４  ガイドタブ
１０６，１０７  導電性部材
１０８  レジスタ
１１０，１１２，１１４，１１６，１３０，１３２，１３４，１３６  延長部の側部
１４０，１４２，１５０，１５２  伝導部
１６０，１６２  レジスタの開口部
１７０，１７２  ピン
２４０  ハウジング
２５０  ハウジング部
２５２  ベースプレート
２６０，２６２  接触部材
２７０，２７２  電極端子
２９０，２９２  ハウジングの開口部
３００  プレート
３１０，３１２  マウンティングブラケット
３２０，３３０  ベース部
３２２，３３２  接触部
【図１】
2016524442.tif 000003
【図２】
2016524442.tif 000004
【図３】
2016524442.tif 000005
【図４】
2016524442.tif 000006
【図５】
2016524442.tif 000007
【図６】
2016524442.tif 000008
【図７】
2016524442.tif 000009
【図８】
2016524442.tif 000010
【図９】
2016524442.tif 000011
【図１０】
2016524442.tif 000012
【国際調査報告】
2016524442.tif 000013
2016524442.tif 000014
2016524442.tif 000015
2016524442.tif 000016